(57)【要約】【課題】  動物を拘束することなく飼い主がそばについた状態で短時間に消臭する。【解決手段】  始終部に扉４を備えた通路１の対向する側壁２にオゾンを含む気体を噴出する噴出口２ａを設け、床３の上面に噴出された気体を吸い込む吸引口３ａを設け、噴出口２ａに供給するオゾンを発生するオゾン発生器６を設け、同発生したオゾンを空気とともに通路１へ送り込むブロワ７を設け、吸引口３ａからオゾンと空気を吸引する吸引器９を設けた。【選択図】図１
2006034205.tif 000002
【特許請求の範囲】
【請求項１】
動物に消臭用気体を吹き付けて体臭を消臭する動物消臭装置であって、動物が通過又は一時滞在できる領域の側面に消臭用気体を動物に吹き付ける噴出口を設け、同領域の下方に吹き付けた消臭用気体を吸引する吸引口を設け、噴出口に消臭用気体を供給する気体供給手段を設け、吸引口から消臭用気体を吸引する気体吸引手段を設けたことを特徴とする動物消臭装置。
【請求項２】
動物が通過又は一時滞在できる領域を上方が開放された断面Ｕ字型の通路で構成し、同通路の対向する側壁の内面に複数の噴出口を開口し、通路の底面に複数の吸引口を開口した請求項１記載の動物消臭装置。
【請求項３】
通路の始終部に扉を取り付けた請求項２記載の動物消臭装置。
【請求項４】
通路の各側壁の上端部に上方の開放部分を一部覆うフードを設けた請求項２又は３記載の動物消臭装置。
【請求項５】
消臭用気体がオゾンを含むものである請求項１〜４いずれか記載の動物消臭装置。
【請求項６】
気体吸引手段が液体フィルタを備えたものである請求項１〜５いずれか記載の動物消臭装置。
【発明の詳細な説明】
【技術分野】
【０００１】
本発明は、犬などの動物に気体を吹き付けて体臭の消臭や消毒，殺菌、ノミ等の除去を行う動物消臭装置に関する。
【背景技術】
【０００２】
従来、動物の体臭の消臭等を目的とした洗浄装置が特許文献１，２に開示されている。これらの技術は、動物を収容する収納ボックスに温水・洗剤を噴射する洗浄ノズルと温風を送風する送風ノズルとを備え、動物を収納ボックスに収容後、温水と洗剤を噴射して洗浄し、温風を送風して乾燥するものである。
【０００３】
ところで、前記の技術は液体を使用するから、特に乾燥に時間を要する問題があった。また、動物は収納ボックス内に拘束されるため、動物によっては不安を覚えて洗浄を嫌がり、洗浄が行えない問題もあった。
【特許文献１】特開平７−２７４７５８号公報
【特許文献２】特開平８−１１７号公報
【発明の開示】
【発明が解決しようとする課題】
【０００４】
本発明が解決しようとする課題は、従来のこれらの問題点を解消し、動物を拘束することなく飼い主がそばについた状態で消臭を行え、しかも液体に代えて気体を用いて短時間に消臭できる動物消臭装置を提供することにある。
【課題を解決するための手段】
【０００５】
かかる課題を解決した本発明の構成は、
１）  動物に消臭用気体を吹き付けて体臭を消臭する動物消臭装置であって、動物が通過又は一時滞在できる領域の側面に消臭用気体を動物に吹き付ける噴出口を設け、同領域の下方に吹き付けた消臭用気体を吸引する吸引口を設け、噴出口に消臭用気体を供給する気体供給手段を設け、吸引口から消臭用気体を吸引する気体吸引手段を設けたことを特徴とする動物消臭装置
２）  動物が通過又は一時滞在できる領域を上方が開放された断面Ｕ字型の通路で構成し、同通路の対向する側壁の内面に複数の噴出口を開口し、通路の底面に複数の吸引口を開口した前記１）記載の動物消臭装置
３）  通路の始終部に扉を取り付けた前記２）記載の動物消臭装置
４）  通路の各側壁の上端部に上方の開放部分を一部覆うフードを設けた前記２）又は３）記載の動物消臭装置
５）  消臭用気体がオゾンを含むものである前記１）〜４）いずれか記載の動物消臭装置
６）  気体吸引手段が液体フィルタを備えたものである前記１）〜５）いずれか記載の動物消臭装置
にある。
【発明の効果】
【０００６】
本発明によれば、従来のように液体を用いないから乾燥の工程が不要となり、短時間に消臭できる。また、動物は飼い主に連れ添いながら拘束されることなく通路を歩くから、不安を覚えずに安心させて消臭を行うことができる。
【発明を実施するための最良の形態】
【０００７】
本発明の動物が通過又は一時滞在できる領域としては、上方が開放された断面Ｕ字型の通路の対向する側壁の内面に複数の噴出口を開口し、通路の底面に複数の吸引口を開口したものが好ましく用いられる。この通路は所定長さの直線状のものでもよいし、環状に形成して複数の動物を飼い主とともに順に歩行させながら消臭処理を行えるようにしてもよい。直線状のものは通路の始終部に扉を取り付け、消臭時に動物が逃げないようにするとともに、動物の体に付着していたノミ，シラミ等の除去物が通路外へ出ないようにする。通路の各側壁の上端部には上方の開放部分を一部覆うフードを設けて消臭用気体の放散や除去物の散乱を防止するのが望ましい。
【０００８】
消臭用気体としては、濃度０．０１〜０．０３ｐｐｍの範囲のオゾンを含むものが一般的に用いられるが、その他殺虫，殺菌，消臭効果を有する各種の気体を使用又は並用してもよい。気体吸引手段としては集塵機が一般的に用いられるが、特に液体フィルタを備えたものを用いると、排気の際に吸引した微細な除去物を確実に補集できて衛生的に処置が行える。また、液体フィルタには殺虫剤を混入しておくと、捕捉したノミ，ダニ等を完全に死滅できる。以下、本発明の実施例を図面に基づいて具体的に説明する。
【実施例１】
【０００９】
図１，２に示す実施例は、本発明の動物消臭装置をペット（犬）用に適用した例である。図１は実施例の動物消臭装置の説明図、図２は実施例の通路の断面図、図３は実施例の動物消臭装置の平面図、図４は実施例の動物消臭装置の側面図、図５は実施例の動物消臭装置の使用状態を示す説明図である。図中、１は通路、２は側壁、２ａは噴出口、２ｂはフード、３は床、３ａは吸引口、３ｂは吸引ダクト、３ｃは滑り止めマット、３ｄはダストポット、４は扉、５は蝶番、６はオゾン発生器、６ａは供給管、６ｂは冷却用ファン、６ｃはコンプレッサ、６ｄは端子箱、６ｅは濃度調整器、７はブロワ、８は送風管、９は吸引器、９ａは吸引管、１０は電源スイッチ、１０ａは風量調整スイッチ、１０ｂは電源表示ランプ、１０ｃは運転表示ランプ、１１は制御盤、１１ａはマグネットブレーカ、１１ｂはリレー、１１ｃはタイマ、１１ｄはサーマル、１１ｅはサーキットプロテクタ、１１ｆはブレーカ、１１ｇは端子台、１２は換気口フード、Ｄはペット、Ｈは飼い主、Ｈａはリードハーネスである。
【００１０】
本実施例の動物消臭装置は、図１，２に示すように内面に直径１５ｍｍの噴出口２ａを一定間隔おいて複数開口した厚さ６０ｍｍ、高さ８２５ｍｍ、長さ１２００ｍｍの中空の２枚の側壁２を対向に配置し、上面に直径１０ｍｍの吸引口３ａを一定間隔おいて複数開口した高さ１０ｍｍ、巾６００ｍｍ、長さ１２００ｍｍの中空の床３を側壁２間の底部に取り付けて断面Ｕ字型の通路１を構成し、各側壁２の上端部に開口したダクト状のフード２ｂを取り付け、各側壁２と床３との間の隅部に吸引ダクト３ｂを取り付け、床３の上面に滑り止めマット３ｃを敷設し、床３の下面には吸引口３ａと連通する上方が開放された引き出し式のダストポット３ｄを取り付け、側壁２間の始終部に蝶番５で扉４を開閉自在に取り付けている。
【００１１】
オゾン発生器６は野村電子工業株式会社製のオゾナイザー（商品名）を用いている。ブロワ７はリョービ株式会社製のＢＬ−３５００Ｖ（商品名）を２体用いている。吸引器９は液体フィルタを備えた集塵機で、ギソワット社（イタリア）製のニューハイドラ（商品名）を用いている。ブロワ７と接続した送風管８を各側壁２内それぞれに複数本配管して各噴出口２ａと連通し、オゾン発生器６の供給管６ａを送風管８の途中と連通し、吸引器９の吸引管９ａを床３内に配管して各吸引口３ａと連通し、さらに吸引管３ａを分岐してフード２ｂと吸引ダクト３ｂに配管している。
【００１２】
側壁２の上端部には電源のＯＮ／ＯＦＦの切換を行う電源スイッチ１０と、噴出口２ａからの風量を調整する風量調整スイッチ１０ａと、動作時に点灯する電源表示ランプ１０ｂ及び運転表示ランプ１０ｃとを備え、制御盤１１を介してＡＣ１００Ｖ電源で動作できるようにしている。
【００１３】
使用する際は、電源スイッチ１０をＯＮにしてオゾン発生器６・コンプレッサ６ｃ・各ブロワ７・吸引器９をそれぞれ作動させ、濃度調整器６ｅを調整してオゾンの濃度が０．０１〜０．０３ｐｐｍとなるようにする。オゾンを含む気体は送風管８を通じて各噴出口２ａから横方向に噴出し、吸引口３ａ・フード２ｂ・吸引ダクト３ｂから吸引管９ａを通じて吸引器９に吸引される。風量は風量調整スイッチ１０ａでペットＤに応じて強弱を設定しておく。
【００１４】
図３に示すように、扉４を開いてペットＤを床３上に誘導する。首輪につないだリードハーネスＨａは上方の開放部分を通して飼い主Ｈがそばに付き合い、扉４を閉める。噴出口２ａから噴出された気体はペットＤの体に直接当たり、全身の毛をほぐしながら体の表面又は毛に付着しているノミ，シラミ等を払い落とすとともに気体に含まれるオゾンによりペットＤの体臭が消臭される。落ちたノミ，シラミ，その他脱毛した細毛は吸引口３ａ・フード２ｂ・吸引ダクト３ｂから気体とともに吸引されて吸引器９に回収される。これを所要時間継続する。
【００１５】
消臭が終了すると、扉４を開いてペットＤを外へ連れ出し、扉４を閉めて電源スイッチ１０をＯＦＦにする。消臭中に吸引器９に吸引できなかったノミ，シラミ等はダストポット３ｄに落下し、引き出して処分が成される。なお、ここでは制御盤１１に備えたタイマ１１ｃによりオゾン発生器６・コンプレッサ６ｃ・各ブロワ７・吸引器９は直に停止せず、設定された時間（例えば３０秒等）動作を継続させて停止させる。これはノミ，シラミ，その他脱毛した細毛が周囲に舞っている場合があり、これらを確実に吸引するためと、ペットＤの体臭を完全に消臭して次のペットＤの受け入れを容易にするためである。
【００１６】
本実施例はこのように構成したから、ペットＤを拘束することなく且つ飼い主Ｈがそばについた状態で行うから、ペットＤに不安を覚えさせることなく円滑に消臭処理できる。また、従来の液体に代えて気体を用いたから、乾燥の工程を省略して短時間に処置できる。
【産業上の利用可能性】
【００１７】
本発明の動物消臭装置は、主として犬や猫等のペットに用いられる。
【図面の簡単な説明】
【００１８】
【図１】実施例の動物消臭装置の説明図である。
【図２】実施例の通路の断面図である。
【図３】実施例の動物消臭装置の側面図である。
【図４】実施例の動物消臭装置の使用状態を示す説明図である。
【図５】実施例の動物消臭装置の平面図である。
【符号の説明】
【００１９】
１  通路
２  側壁
２ａ  噴出口
２ｂ  フード
３  床
３ａ  吸引口
３ｂ  吸引ダクト
３ｃ  滑り止めマット
３ｄ  ダストポット
４  扉
５  蝶番
６  オゾン発生器
６ａ  供給管
６ｂ  冷却用ファン
６ｃ  コンプレッサ
６ｄ  端子箱
６ｅ  濃度調整器
７  ブロワ
８  送風管
９  吸引器
９ａ  吸引管
１０  電源スイッチ
１０ａ  風量調整スイッチ
１０ｂ  電源表示ランプ
１０ｃ  運転表示ランプ
１１  制御盤
１１ａ  マグネットブレーカ
１１ｂ  リレー
１１ｃ  タイマ
１１ｄ  サーマル
１１ｅ  サーキットプロテクタ
１１ｆ  ブレーカ
１１ｇ  端子台
１２  換気口フード
Ｄ  ペット
Ｈ  飼い主
Ｈａ  リードハーネス
【図１】
2006034205.tif 000003
【図２】
2006034205.tif 000004
【図３】
2006034205.tif 000005
【図４】
2006034205.tif 000006
【図５】
2006034205.tif 000007